(57)【要約】      （修正有）【課題】曇りや雨天の室内照明および夜間の人工補助光源の電力問題を解決する太陽光源日光ランプを提供する。【解決手段】太陽光源日光ランプ１は、建築物２の屋根２１を貫通し、反射膜１１１を有する導光管１１と、導光管１１下端に設置される一組の出光ユニット１２と、導光管１１上端に設置される一組の白色ＬＥＤランプモジュール１３と、導光管１１上方に設置される一組の集光マスク１４と、導光管１１上方、および、集光マスク１４内部に設置される一組の光センサー１５と、建築物２の屋根２１上方に設置される少なくとも一組の太陽エネルギー発電貯電装置１６と、を有し、太陽エネルギー発電貯電装置１６は、白色ＬＥＤランプモジュール１３、および、光センサー１５に必要な電力を供給する。【選択図】図１
0003213002.tif 000002
【実用新案登録請求の範囲】
【請求項１】
太陽光源日光ランプであって、
建築物の屋根を貫通する導光管と、
前記導光管下端に設置される一組の出光ユニットと、
前記導光管上端に設置される一組の白色ＬＥＤランプモジュールと、
前記導光管上方に設置される一組の集光マスクと、
前記導光管上方、および、前記集光マスク内部に設置される一組の光センサーと、
前記建築物の前記屋根上方に設置される少なくとも一組の太陽エネルギー発電貯電装置と、を有し、前記太陽エネルギー発電貯電装置は、前記白色ＬＥＤランプモジュール、および、前記光センサーに必要な電力を供給することを特徴とする太陽光源日光ランプ。
【請求項２】
前記導光管内壁は反射膜を設置することを特徴とする請求項１に記載の太陽光源日光ランプ。
【請求項３】
前記集光マスクは中空の半球形であることを特徴とする請求項１に記載の太陽光源日光ランプ。
【請求項４】
前記集光マスクはアクリル材質により成型されることを特徴とする請求項１に記載の太陽光源日光ランプ。
【請求項５】
前記導光管は、前記建築物の壁面に縦向けに平行であることを特徴とする請求項１に記載の太陽光源日光ランプ。
【考案の詳細な説明】
【技術分野】
【０００１】
本考案は、太陽光源日光ランプに関するものであって、特に、建築物の人工による電力光源照射を不要にする、または、曇り、雨天の室内照明、および、夜間の人工補助光源の電力問題を解決し、太陽エネルギー発電貯電装置、および、白色ＬＥＤランプモジュールにより、建築物の室内照明を提供し、太陽光源日光ランプは、太陽エネルギー発電貯電装置により、発電、貯電、白色ＬＥＤランプモジュール、および、光センサーの電力を供給する。
【背景技術】
【０００２】
アメリカ合衆国環境保護庁(ＥＰＡ)は、１９９１年１月に「Green Lights Program」を立ち上げるとともに、「自然照明(Green Lights)」の概念を積極的に推進し、「天然採光」は、徐々に、自然照明の重要な発展方向であると見られている。大部分の建築物の室内照明設備の使用電量は、総使用電量の３５％を占め、空調設備の４０％に次ぐ。同じ照度の提供において、自然光がもたらす熱エネルギー比は、人造光源よりも絶対的に少なく、よって、自然光で人造光源を代替して、室内照明とするのは、エコであるだけでなく、空調の負荷を更に大幅に減少させ、一年で、５０％近くの電気代を節約することができる。
事実上、全世界の石化資源は枯渇傾向にあり、太陽エネルギーは、人類が運用できる最大の天然資源となっている。太陽光放射が地面に到達するエネルギーは、全世界石油埋蔵量の約１／４であり、また、太陽エネルギーの運用は、環境汚染の問題がない。
【考案の概要】
【考案が解決しようとする課題】
【０００３】
建築物の人工による電力光源照射を不要にする、または、曇り、雨天の室内照明、および、夜間の人工補助光源の電力問題を解決するため、本考案は、太陽光源日光ランプを提供することを目的とする。本考案の構造は、太陽エネルギー発電貯電装置、および、白色ＬＥＤランプモジュールにより、建築物の室内照明を提供し、太陽光源日光ランプは、太陽エネルギー発電貯電装置により、発電、貯電、白色ＬＥＤランプモジュール、および、光センサーの電力を供給し、光検出器を利用して、外界のルーメンを検出し、太陽光ルーメンと白色ＬＥＤランプモジュールを自動調整して、建築物室内の照明環境を安定させる。白色ＬＥＤランプモジュールの電力は、太陽エネルギー発電貯電装置によるもので、平日は、太陽エネルギー発電貯電装置により、太陽光を電気エネルギーに転換して保存し、天気が悪い日や夜に使用することができ、本考案による太陽光源日光ランプは、太陽エネルギーを十分に利用して、電気使用の比率を減少させる。
【課題を解決するための手段】
【０００４】
本考案の目的は、建築物の人工による電力光源照射を不要にする、または、曇り、雨天の室内照明、および、夜間の人工補助光源電力問題を解決する太陽光源日光ランプを提供し、太陽エネルギー発電貯電装置、および、白色ＬＥＤランプモジュールにより、建築物室内の照明を提供するとともに、太陽エネルギー発電貯電装置により、発電、貯電、白色ＬＥＤランプモジュール、および、光センサーの電力を供給する。本考案による新規の太陽光源日光ランプは、建築物の経営コストを大幅に節約することができるだけでなく、従来の建築物が二酸化炭素を排出する問題を改善し、温室効果の環境保全問題が緩和される。
本考案の目的を達成するため、本考案による太陽光源日光ランプは、建築物の屋根を貫通する導光管と、導光管下端に設置される一組の出光ユニットと、導光管上端に設置される一組の白色ＬＥＤランプモジュールと、導光管上方に設置される一組の集光マスクと、導光管上方、および、集光マスク内部に設置される一組の光センサーと、建築物の屋根上方に設置される一組の太陽エネルギー発電貯電装置と、を有し、太陽エネルギー発電貯電装置は、白色ＬＥＤランプモジュール、および、光センサーに必要な電力を供給する。
導光管内壁は反射膜を設置する。
集光マスクは中空の半球形である。
集光マスクはアクリル材質により成型される。
導光管は、建築物の壁面に縦向けに平行である。
【考案の効果】
【０００５】
本考案は、太陽エネルギー発電貯電装置、および、白色ＬＥＤランプモジュールを結合して、建築物の室内照明を提供し、太陽エネルギー発電貯電装置により、発電、貯電、白色ＬＥＤランプモジュール、および、光センサー電力を供給するとともに、白色ＬＥＤランプモジュールのＵＶＬＥＤランプ、白ＬＥＤランプの開閉を自動制御する。本考案による太陽光源日光ランプは、太陽光源の光電、光導照明技術を利用し、天然資源を消耗する問題がないだけでなく、余分な電力も使用せず、建築物の経営コストを節約し、更に、二酸化炭素を放出して温室効果を生成する問題がない。本考案は、７００ｎｍ以上のＩＲ放射熱を遮断し、熱エネルギーの建築物室内への進入を７０％減少させる長所を有し、建築物の室内空調の負荷を減少させ、自然エネルギー推進に符合する。本考案の半球形の集光マスクは、透明アクリル材料(ＰＭＭＡ)を使用し、抗赤外線材料を添加して、放射熱を遮断するとともに、抗ＵＶ添加剤を加えて、太陽光中の２８０〜４００ｎｍの全光波長光を建築物室内に進入させない。
【図面の簡単な説明】
【０００６】
【図１】本考案による太陽光源日光ランプを建築物の屋根に取り付けた構造を示す図である。
【考案を実施するための形態】
【０００７】
図１に示されるように、本考案による太陽光源日光ランプ１は、導光管１１と、一組の出光ユニット１２と、一組の白色ＬＥＤランプモジュール１３と、一組の集光マスク１４と、一組の光センサー１５と、一組の太陽エネルギー発電貯電装置１６を有する。建築物２の屋根２１を貫通する導光管１１の内壁は反射膜１１１を設置し、導光管１１は建築物２の壁面に縦向けに平行である。  導光管１１下端に、一組の出光ユニット１２が設置される。導光管１１上端に、一組の白色ＬＥＤランプモジュール１３が設置される。導光管１１上方に、一組の集光マスク１４が設置され、集光マスク１４は中空の半球形であり、アクリル材質により一体成型される。導光管１１上方、および、集光マスク１４内部に、一組の光センサー１５が設置される。建築物の屋根２１上方に、少なくとも一組の太陽エネルギー発電貯電装置１６が設置され、太陽エネルギー発電貯電装置１６は、白色ＬＥＤランプモジュール１３、および、光センサー１５に必要な電力を供給する。
本考案による太陽光源日光ランプ１は、太陽エネルギー発電貯電装置１６、および、白色ＬＥＤランプモジュール１３のＬＥＤランプを結合し、建築物の室内照明を提供し、太陽エネルギー発電貯電装置１６は、発電、および、貯電効果を有し、白色ＬＥＤランプモジュール１３、および、光センサー１５に必要な電力を供給する。
本考案による太陽光源日光ランプ１は、太陽エネルギー発電貯電装置、および、白色ＬＥＤランプモジュールを結合し、建築物の室内照明を提供し、太陽エネルギー発電貯電装置により、発電、貯電、白色ＬＥＤランプモジュール、および、光センサー電力を供給するとともに、白色ＬＥＤランプモジュールのＵＶＬＥＤランプ、白ＬＥＤランプの開閉を自動制御する。
本考案による太陽光源日光ランプ１の太陽エネルギー発電貯電装置１６は太陽光源を利用し、エネルギー消耗の問題がないだけでなく、余分な電力も必要とせず、建築物の電力コストを節約し、二酸化炭素の放出による温室効果の問題も発生しない。本考案による太陽光源日光ランプ１の集光マスク１４は、７００ｎｍ以上のＩＲ放射熱を遮断し、熱エネルギーの建築物室内への進入を７０％減少させる長所を有し、建築物の室内空調の負荷を減少させ、エネルギー節約の目的を達成する。集光マスク１４は中空の半球形に設置され、透明のアクリル材料からなり、二酸化ケイ素（ＳｉＯ２）を添加して、集光マスク１４に、７５０ｎｍの周波数バンドの放射線 (熱)の進入を阻止する功能を有させる。集光マスク１４は抗赤外線材料を添加して、放射熱を遮断するとともに、抗ＵＶ添加剤を加えて、紫外線が建築物内部に進入しないようにして、室内照明要求を満足させる。
本考案による太陽光源日光ランプ１は以下のような効果が達成される：
１．本考案による太陽光源日光ランプ１は、建築物の人工による電力光源照射を不要にする、または、曇り、雨天の室内照明、および、夜間の人工補助光源電力問題を解決し、太陽エネルギー発電貯電装置１６、および、白色ＬＥＤランプモジュール１３により、建築物室内の照明を提供するとともに、太陽エネルギー発電貯電装置１６により、発電、貯電、白色ＬＥＤランプモジュール１３、および、光センサー１５の電力を供給する。本考案による太陽光源日光ランプ１の新規の構造により、建築物の電力コストを大幅に節約することができ、従来の建築物の二酸化炭素排出の問題を改善し、温室効果の問題が緩和される。
２．本考案による太陽光源日光ランプ１は、集光マスク１４がアクリル材質で形成され、防震、抗衝撃、防汚、および、使用寿命が長いという長所を有する。集光マスク１４の入光角度＞１０°、陽光反射率＞５％であり、有害な紫外線をろ過して、生物のビタミン合成を促進し、健康を促進する。集光マスク１４は中空の半球形に設置され、表面が滑らかで、灰塵が残留しにくく、雨水によって流されて、自浄効果を達成する。
３．本考案による太陽光源日光ランプ１は、導光管１１内壁が反射膜１１１を設置し、光線伝達の長所を有する。反射膜１１１光の一次反射率９９．５％は、物理極限反射率９８％を超え、２０回の反射後、９４％の光線を出し、導光管１１により、効果的に、太陽光を建築物室内に伝達するとともに、紅外線を１００％吸収することができ、太陽熱放射が建築物室内に伝達されず、建築物室内の空調負荷を減少させ、エネルギーを節約する。
４．本考案による太陽光源日光ランプ１は、昼間の太陽光が十分である時、導光管１１が、集光マスク１４により、室外の自然光線を集めて、建築物室内の光線が必要な場所に送り、室内に十分な照度を提供する。曇りや雨天、夜間等、照度が不足するとき、光センサー１５により、太陽エネルギー発電貯電装置１６の電力出力を起動して、白色ＬＥＤランプモジュール１３、および、光センサー１５に必要な電力を提供する。白色ＬＥＤランプモジュール１３は、建築物の室外の天候条件によって、ＬＥＤランプの電力の大きさを自動調整して、建築物室内の照度や輝度の分布の均一性を維持する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
１…太陽光源日光ランプ
１１…導光管
１１１…反射膜
１２…出光ユニット
１３…白色ＬＥＤランプモジュール
１４…集光マスク
１５…光センサー
１６…太陽エネルギー発電貯電装置
２…建築物
２１…屋根
【図１】
0003213002.tif 000003